(57)【特許請求の範囲】
【請求項１】
一端面が開口した箱形のケース体と、前記開口端面を閉塞するように前記ケース体に組み付けられる蓋体とで構成される器具本体と、前記ケース体への蓋体の組付け状態を保持する保持枠と、を含む配線器具であって、
前記ケース体の両側面に肩部を形成するとともに、前記蓋体の両側面にも前記肩部と対向する位置に肩部を形成し、
更に、前記ケース体および蓋体の各対向する肩部には、当該肩部を穿設または切欠いて係止爪配置部が形成してあり、
前記保持枠は、前記蓋体の肩部に載置される胴部と、この胴部から延出する係止爪とを有し、
前記係止爪は、中間部が前記ケース体および蓋体に形成された係止爪配置部に配置されるとともに、根もと部分を折り曲げることで、先端部に形成した鈎状の爪部が前記ケース体の肩部裏面側端縁に係止される構成であり、
且つ、前記係止爪の根もと部分は、前記蓋体に形成された係止爪配置部にほぼ隙間なく嵌め合わされる幅の支持部と、この支持部から延出し中間部より幅狭に形成された折曲部とを含む構成であることを特徴とする配線器具。
【請求項２】
前記係止爪配置部は、前記ケース体および蓋体の両側面で、それぞれ２箇所に形成してあり、
前記保持枠には、これら２箇所の係止爪配置部に中間部が配置される係止爪が２本延出しており、それら２本の係止爪は、それぞれ対称に前記鈎状の爪部が形成されていることを特徴とする請求項１の配線器具。
【発明の詳細な説明】
【技術分野】
【０００１】
この発明は、室内の壁面等に施設されるスイッチ、コンセント等の配線器具に関し、特に、器具本体を構成するケース体と蓋体の組付け構造を改良した配線器具に関する。
【背景技術】
【０００２】
スイッチ、コンセント等の配線器具は、一端面が開口した箱形のケース体と、この開口端面を閉塞するようにケース体に組み付けられる蓋体とで器具本体が構成されている。ケース体の内部には、端子や接点、刃受金具などスイッチやコンセントを構成するための各種部品が収納される。蓋体は、ケース体の一端開口部に組み付けられ、金属製の保持枠によってケース体に固定される。
【０００３】
特許文献１には、例えば、次のような構成によるボディ（ケース体）とカバー（蓋体）との組付け構造が開示されている。すなわち、特許文献１の図１に示されるように、カバー（２０）に肩部（２６）を突設するとともに、ボディ（１０）に係止凸部（１７）が形成されている。金属製の組立枠（４０）は、カバー（２０）の一対の肩部（２６）上に跨るようにして載置される係止片（４１）と、係止片（４１）における両肩部（２６）の間の部位に基端部が連結された連結片（４３）と、連結片（４３）の先端部の両側縁から側方にそれぞれ突出する爪片（４２，４２）とを連続一体に形成して構成されている。
【０００４】
そして、組立枠（４０）の係止片（４１）をカバー（２０）の一対の肩部（２６）上に跨るように載置し、爪片（４２）をカバー（２０）側に曲げると、爪片（４２）が係止凸部（１７）に設けた凹所（１７ａ）と係止し、ボディ（１０）とカバー（２０）とが結合される。
【特許文献１】特開２００２−１０４３６号公報
【発明の開示】
【発明が解決しようとする課題】
【０００５】
しかしながら、上述した構成によるボディ（ケース体）とカバー（蓋体）との組付け構造では、爪片（４２）が連結片（４３）の先端部から延出しており、この爪片（４２）だけが折り曲げられるために、ボディ（ケース体）とカバー（蓋体）とを分離させようとする外力が作用したとき、爪片（４２）に応力が集中して作用し、爪片（４２）を折り曲げる前の状態に復元させようとする。その結果、爪片（４２）による係止状態が解除され、ボディ（１０）とカバー（２０）が分解してしまうおそれがあった。
【０００６】
本発明は、このような事情に鑑みてなされたもので、ケース体と蓋体との組付け状態を確実に保持することのできる配線器具の提供を目的とする。
【課題を解決するための手段】
【０００７】
上記目的を達成するために、本発明は、一端面が開口した箱形のケース体と、開口端面を閉塞するようにケース体に組み付けられる蓋体とで構成される器具本体と、ケース体への蓋体の組付け状態を保持する保持枠と、を含む配線器具であって、
ケース体の両側面に肩部を形成するとともに、蓋体の両側面にも肩部と対向する位置に肩部を形成し、
更に、ケース体および蓋体の各対向する肩部には、当該肩部を穿設または切欠いて係止爪配置部が形成してあり、
保持枠は、蓋体の肩部に載置される胴部と、この胴部から延出する係止爪とを有し、
係止爪は、中間部がケース体および蓋体に形成された係止爪配置部に配置されるとともに、先端部に形成した鈎状の爪部が根もと部分を折り曲げてケース体の肩部裏面側端縁に係止される構成であることを特徴とする。
【０００８】
上記構成の配線器具は、次の手順でケース体に蓋体が組み付けられる。すなわち、相互の肩部を合わせた状態でケース体に蓋体を組み付け、保持枠によってその組付け状態を保持する。すなわち、保持枠の胴部は蓋体の肩部に載置し、係止爪の中間部を係止爪配置部へ配置する。この状態で係止爪を根もとで折り曲げる。これにより係止爪の先端部に形成された爪部がケース体の肩部の裏面側端縁に係止されて、ケース体と蓋体との組付け状態を保持する。
ここで、係止爪は根もとで折り曲げて爪部をケース体の係止爪配置部に係止してあるので、ケース体と蓋体とを分離させようとする外力が作用したとき、その外力を係止爪が爪部から根もとに至る全体で受け、その結果、係止状態を強固に保持することができる。
【０００９】
係止爪の根もと部分は、蓋体に形成された係止爪配置部にほぼ隙間なく嵌め合わされる幅の支持部と、この支持部から延出し中間部より幅狭に形成された折曲部とを含むことが好ましい。
このように構成すれば、支持部が蓋体の係止爪配置部にがたつきなく嵌め合わされるので、折曲部の折り曲げ操作を安定して行うことが可能となる。また、折曲部を中間部より幅狭にすることで、折曲部で安定して折り曲げることができ、常にほぼ一定の形態で係止爪がケース体を係止することができる。
【００１０】
また、係止爪配置部は、ケース体および蓋体の両側面で、それぞれ２箇所に形成してあり、
保持枠には、これら２箇所の係止爪配置部に中間部が配置される係止爪が２本延出しており、それら２本の係止爪には、それぞれ対称に鈎状の爪部が形成されていることが好ましい。
この２本の係止爪によってケース体を対称に係止することで、いっそう強固にケース体と蓋体との組付け状態を保持することができる。
【発明の効果】
【００１１】
以上説明したように、本発明によれば、係止爪が根もとで折り曲げて爪部をケース体の係止爪配置部に係止してあるので、ケース体と蓋体とを分離させようとする外力が作用したとき、その外力を係止爪が爪部から根もとに至る全体で受け、その結果、係止状態を強固に保持することができる。
【発明を実施するための最良の形態】
【００１２】
以下、この発明の実施の形態について図面を参照して詳細に説明する。
〔第１の実施形態〕
図１乃至図５は、本発明の第１の実施形態に係る配線器具を示す図であり、図１は、第１の実施形態に係る配線器具の全体構成を示す斜視図である。
図１に示すように、本実施形態の配線器具１は、専用に形成された樹脂製絶縁枠２に嵌め込まれる構成である。この樹脂製絶縁枠２は、配線器具１を強固に保持して、ねじ止めなどで壁面等に取り付けられる。このような樹脂製絶縁枠２の構造としては、例えば、本出願人が先に出願した特開２００２−４４８２４公報に開示された配線器具取付装置が適用できる。
なお、配線器具１は、一般にＪＩＳ規格によって規格化された寸法で形成されており、本実施形態では、プラグの差込口が一つ形成されたコンセントに、本発明を適用した構成例について詳細に説明する。
【００１３】
図２は、第１の実施形態の配線器具の配線器具の構成を示す分解斜視図であり、図３は、同じく配線器具の構成を示す展開図であり、（ａ）は上面図、（ｂ）は側面断面図、（ｃ）は正面図である。
図２及び図３に示すように、配線器具１は、前面が開口した略箱状のケース体１０と、このケース体１０の開口端面１１を閉塞するようにケース体１０に組み付けられる蓋体２０と、ケース体１０と蓋体２０との組付け状態を保持する金属製の保持枠３０とを備えた構成である。ここで、ケース体１０および蓋体２０は、耐久性に優れた熱硬化性合成樹脂を用いて形成されている。
【００１４】
ケース体１０は、開口端面１１の左右両端側に肩部１２がそれぞれ突設されている。これら肩部１２には、上下に一対の挿入孔１３（係止爪配置部）がそれぞれ穿設されている。
【００１５】
なお、ケース体１０の内部には、一対の刃受部材１４が並べて収納される。また、具体的に図示はしていないが、ケース体１０は、内底部に刃受部材１４と導通する速結端子が配設される。この速結端子は、ケース体１０の背面に穿設された電線孔（図示せず）から外部電線を差し込むだけで、内部の刃受部材１４と電気的に結線され、かつ、電線が容易に引き抜けないように食い込む構造となっている。このような速結端子の構造としては、例えば、本出願人が先に出願した特開２０００−３０６６１６公報に開示された配線器具が適用できる。
【００１６】
蓋体２０は、上面が電化製品等のプラグが差し込まれるボス面２１となっている。このボス面２１には、プラグの栓刃が挿入される一対の栓刃孔２２が設けられている。
また、蓋体２０の両側面には、ケース体１０と同じく、肩部２４がそれぞれ突設されている。肩部２４は、蓋体２０をケース体１０に組み付けた状態で、ケース体１０の肩部１２とちょうど対向する位置に形成されている。蓋体２０の肩部２４には、切欠溝２５（係止爪配置部）が穿設されている。切欠溝２５は、ケース体１０と蓋体２０とが組み合わされた状態で、ケース体１０の挿入孔１３と対向する位置に形成されている。これら挿通孔１３と切欠溝２５は、蓋体２０の正面側（すなわち、上面側）からケース体１０の裏面側（すなわち、下面側）へ貫通する。
【００１７】
金属製の保持枠３０には、胴部３１から２本の係止爪３２が延出している。各係止爪３２には、先端部に鈎状の爪部３２ａがそれぞれ対称に形成してある。
この金属製の保持枠３０は、ケース体１０の開口端面１１に蓋体２０が組み付けられた状態で、図４（ａ）に示すように、係止爪３２の中間部３２ｂが蓋体２０の切欠溝２５からケース体１０の挿通孔１３へ差し込まれ、先端部に形成した鈎状の爪部３２ａがケース体１０の挿通孔１３の裏面側に露出する。胴部３１は、蓋体２０の肩部２４に載置される。
【００１８】
ここで、係止爪３２の根もと部分には、蓋体２０の切欠溝２５にほぼ隙間なく嵌め合わされる幅の支持部３２ｃと、この支持部３２ｃから延出し中間部３２ｂより幅狭に形成された折曲部３２ｄとが形成されている。
【００１９】
次に、図４（ｂ）に示すように、各係止爪３２の折曲部３２ｄを折り曲げて、爪部３２ａをケース体１０の肩部１２の裏面側端縁に係止することで、ケース体１０と蓋体２０との組付け状態が保持される。
上述したように、係止爪３２は、根もと部分の折曲部３２ｄで折り曲げて、爪部３２ａをケース体１０に係止してあるので、ケース体１０と蓋体２０とを分離させようとする外力が作用したとき、その外力を係止爪３２が爪部３２ａから根もとに至る全体で受ける。よって、係止状態を強固に保持することができる。
【００２０】
また、係止爪３２の根もと部分に形成した支持部３２ｃが、蓋体１０の切欠溝２５にがたつきなく嵌め合わされる。このため、折曲部３２ｄの折り曲げ操作を安定して行うことが可能となる。また、折曲部３２ｄを中間部３２ｂより幅狭にすることで、折曲部３２ｄで安定して折り曲げることができ、常にほぼ一定の形態で係止爪３２をケース体１０に係止することができる。
さらに、２本の係止爪３２は、ケース体１０を対称に係止する（図４（ｂ）参照）。このため、いっそう強固にケース体１０と蓋体２０との組付け状態を保持することができる。
【００２１】
保持枠３０には、胴部３１から外側方向へ装着爪３３が延出している。この装着爪３３は、配線器具１を樹脂製絶縁枠２に嵌め込む際に、樹脂製絶縁枠２の装着部２ａ（図１参照）に係止される。これにより、配線器具１が樹脂製絶縁枠２に装着される。
【００２２】
なお、第１の実施形態の配線器具１は、上述した実施形態に限定されるものではなく、必要に応じて種々の応用実施または変形実施が可能であることは勿論である。以下に、第１の実施形態の配線器具の変形例を例示する。
【００２３】
図５は、第１の実施形態に係る配線器具の変形例を示す図であり、（ａ）は変形例１の正面図、（ｂ）は変形例２の正面図、（ｃ）は変形例３の上面図、（ｄ）は変形例３の側面図である。
〔変形例１〕
図５（ａ）に示す配線器具１は、ケース体１０および蓋体２０の肩部１２、２４を両脇部分で切り欠いてそこに切欠溝１５，２６（係止爪配置部）が形成してある。この場合、ケース体１０の肩部１２に中間部に支持溝１６を形成するとともに、保持枠３０の胴部３１からこの支持溝１６に係合する支持突起３４を延出させる。支持突起３４は、支持溝１６にほぼ隙間なく嵌合する幅に形成し、この支持突起３４を支持溝１６に嵌め合わせることで、保持枠３０のがたつきを抑える。そして、係止爪３２を根もと部分の折曲部３２ｄで折り曲げて、爪部３２ａをケース体１０の肩部１２に係止する。これにより、ケース体１０と蓋体２０との組付け状態を強固に保持することができる
【００２４】
〔変形例２〕
図５（ｂ）に示す配線器具１は、保持枠３０の係止爪３２に形成した爪部３２ａを外側に向けた形状としてある。
【００２５】
〔変形例３〕
図５（ｃ）（ｄ）に示す配線器具１は、ケース体１０と蓋体２０の両側面に全幅にわたって肩部１２、２４が形成してあり、その両端面に切欠溝１７，２７（係止爪配置部）が形成してある。そして、保持枠３０の係止爪３２は、胴部３１の両端から下方へ延出して形成してある。
【００２６】
〔第２の実施形態〕
図６乃至図９は、本発明の第２の実施形態に係る配線器具を示す図である。
第２の実施形態の配線器具１は、図６に示すように、蓋体２０に形成したボス面２１の離間した２箇所に一対の栓刃孔２２を有しており、そのためケース体１０および蓋体２０の幅が第１の実施形態のものより長尺となっている。すなわち、この配線器具１は、第１の実施形態に示した配線器具３個分の幅を有している。本実施形態の配線器具も、樹脂製絶縁枠２に装着され、この樹脂製絶縁枠２を介して室内の壁面等に施設される。
【００２７】
本実施形態の配線器具も、ケース体１０の内部に刃受部材１４等の部品が収納され、ケース本体の左右両側面には、肩部１２がそれぞれ突設されている。これら肩部１２には、上下に一対の挿入孔１３（係止爪配置部）がそれぞれ穿設されている。
【００２８】
また、蓋体２０の両側面には、肩部２４がそれぞれ突設されている。肩部２４は、蓋体２０をケース体１０に組み付けた状態で、ケース体１０の肩部１２とちょうど対向する位置に形成されている。蓋体２０の肩部２４には、挿入孔２５（係止爪配置部）が穿設されている。挿入孔２５は、ケース体１０と蓋体２０とが組み合わされた状態で、ケース体１０の挿入孔１３と対向する位置に形成されている。これら挿通孔１３と挿入孔２５は、蓋体２０の正面側（すなわち、上面側）からケース体１０の裏面側（すなわち、下面側）へ貫通する。
【００２９】
図９等に示すように、金属製の保持枠３０には、胴部３１から２本の係止爪３２が延出している。各係止爪３２には、先端部に鈎状の爪部３２ａがそれぞれ対称に形成してある。
この金属製の保持枠３０は、ケース体１０の開口端面１１に蓋体２０が組み付けられた状態で、係止爪３２の中間部３２ｂが蓋体２０の挿入孔２５からケース体１０の挿通孔１３へ差し込まれ、先端部に形成した鈎状の爪部３２ａがケース体１０の挿通孔１３の裏面側に露出する。胴部３１は、蓋体２０の肩部２４に載置される。
【００３０】
ここで、係止爪３２の根もと部分には、蓋体２０の挿入孔２５にほぼ隙間なく嵌め合わされる幅の支持部３２ｃと、この支持部３２ｃから延出し中間部３２ｂより幅狭に形成された折曲部３２ｄとが形成されている。
【００３１】
次に、各係止爪３２の折曲部３２ｄを折り曲げて、爪部３２ａをケース体１０の肩部１２の裏面側端縁に係止することで、ケース体１０と蓋体２０との組付け状態が保持される。
上述したように、係止爪３２は、根もと部分の折曲部３２ｄで折り曲げて、爪部３２ａをケース体１０に係止してあるので、ケース体１０と蓋体２０とを分離させようとする外力が作用したとき、その外力を係止爪３２が爪部３２ａから根もとに至る全体で受ける。よって、係止状態を強固に保持することができる。
【００３２】
また、係止爪３２の根もと部分に形成した支持部３２ｃが、蓋体１０の挿入孔２５にがたつきなく嵌め合わされる。このため、折曲部３２ｄの折り曲げ操作を安定して行うことが可能となる。また、折曲部３２ｄを中間部３２ｂより幅狭にすることで、折曲部３２ｄで安定して折り曲げることができ、常にほぼ一定の形態で係止爪３２をケース体１０に係止することができる。
さらに、２本の係止爪３２は、ケース体１０を対称に係止する。このため、いっそう強固にケース体１０と蓋体２０との組付け状態を保持することができる。
【００３３】
保持枠３０には、胴部３１から外側方向へ装着爪３３が延出している。この装着爪３３は、配線器具１を樹脂製絶縁枠２に嵌め込む際に、樹脂製絶縁枠２の装着部２ａ（図６参照）に係止される。これにより、配線器具１が樹脂製絶縁枠２に装着される。
【００３４】
なお、第２の実施形態の配線器具１についても、第１の実施形態と同じく、種々の応用実施または変形実施が可能である。
【００３５】
〔第３の実施形態〕
図１０乃至図１２は、本発明の第３の実施形態に係る配線器具を示す図である。
第３の実施形態の配線器具１は、図１０及び図１１に示すように、第２の実施形態と同一の形状に形成されたケース体１０と蓋体２０に対し、その側面外周に金属製の壁面取付枠４０を取り付けた構成である。壁面取付枠４０は、既述したような樹脂製絶縁枠２等に嵌め込むことなく、室内の壁面に直接配線器具１を施設するための部品である。
【００３６】
第３の実施形態の配線器具１も、第２の実施形態と同様、蓋体２０に形成したボス面２１の離間した２箇所に一対の栓刃孔２２を有しており、そのためケース体１０および蓋体２０の幅が第１の実施形態のものより長尺となっている（図１０参照）。すなわち、この配線器具１は、第１の実施形態に示した配線器具３個分の幅を有している。
【００３７】
本実施形態の配線器具も、ケース体１０の内部に刃受部材等の部品が収納され、ケース本体の左右両側面には、肩部１２がそれぞれ突設されている。これら肩部１２には、上下に一対の挿入孔１３（係止爪配置部）がそれぞれ穿設されている。
【００３８】
また、蓋体２０の両側面には、肩部２４がそれぞれ突設されている。肩部２４は、蓋体２０をケース体１０に組み付けた状態で、ケース体１０の肩部１２とちょうど対向する位置に形成されている。蓋体２０の肩部２４には、挿入孔２５（係止爪配置部）が穿設されている。挿入孔２５は、ケース体１０と蓋体２０とが組み合わされた状態で、ケース体１０の挿入孔１３と対向する位置に形成されている。これら挿通孔１３と挿入孔２５は、蓋体２０の正面側（すなわち、上面側）からケース体１０の裏面側（すなわち、下面側）へ貫通する。
【００３９】
図１２等に示すように、金属製の壁面取付枠４０には、胴部４１の両側に設けた枠体４１ａからそれぞれ２本の係止爪４２が延出している。各係止爪４２には、先端部に鈎状の爪部４２ａがそれぞれ対称に形成してある。
この金属製の壁面取付枠４０は、ケース体１０の開口端面１１に蓋体２０が組み付けられた状態で、係止爪４２の中間部４２ｂが蓋体２０の挿入孔２５からケース体１０の挿通孔１３へ差し込まれ、先端部に形成した鈎状の爪部４２ａがケース体１０の挿通孔１３の裏面側に露出する。胴部４１の枠体４１ａは、蓋体２０の肩部２４に載置される。
【００４０】
ここで、係止爪４２の根もと部分には、蓋体２０の挿入孔２５にほぼ隙間なく嵌め合わされる幅の支持部４２ｃと、この支持部４２ｃから延出し中間部４２ｂより幅狭に形成された折曲部４２ｄとが形成されている（図１２参照）。
【００４１】
次に、各係止爪４２の折曲部４２ｄを折り曲げて、爪部４２ａをケース体１０の肩部１２の裏面側端縁に係止することで、ケース体１０と蓋体２０との組付け状態が保持される。
上述したように、係止爪４２は、根もと部分の折曲部４２ｄで折り曲げて、爪部４２ａをケース体１０に係止してあるので、ケース体１０と蓋体２０とを分離させようとする外力が作用したとき、その外力を係止爪４２が爪部４２ａから根もとに至る全体で受ける。よって、係止状態を強固に保持することができる。
【００４２】
また、係止爪４２の根もと部分に形成した支持部４２ｃが、蓋体１０の挿入孔２５にがたつきなく嵌め合わされる。このため、折曲部４２ｄの折り曲げ操作を安定して行うことが可能となる。また、折曲部４２ｄを中間部４２ｂより幅狭にすることで、折曲部４２ｄで安定して折り曲げることができ、常にほぼ一定の形態で係止爪４２をケース体１０に係止することができる。
さらに、２本の係止爪４２は、ケース体１０を対称に係止する。このため、いっそう強固にケース体１０と蓋体２０との組付け状態を保持することができる。
【００４３】
なお、第３の実施形態の配線器具１についても、第１の実施形態と同じく、種々の応用実施または変形実施が可能である。
【図面の簡単な説明】
【００４４】
【図１】第１の実施形態に係る配線器具の全体構成を示す斜視図である。
【図２】第１の実施形態の配線器具の構成を示す分解斜視図である。
【図３】第１の実施形態の配線器具の構成を示す展開図であり、（ａ）は上面図、（ｂ）は側面断面図、（ｃ）は正面図である。
【図４】第１の実施形態の配線器具の組付け構造を示す正面図であり、（ａ）は係止爪を折り曲げる前の図、（ｂ）は係止爪の折り曲げた後の図である。
【図５】第１の実施形態の配線器具の変形例を示す図であり、（ａ）は変形例１の正面図、（ｂ）は変形例２の正面図、（ｃ）は変形例３の上面図、（ｄ）は変形例３の側面図である。
【図６】第２の実施形態に係る配線器具の全体構成を示す斜視図である。
【図７】第２の実施形態の配線器具の全体構成を示す分解斜視図である。
【図８】第２の実施形態の配線器具の構成を示す展開図であり、（ａ）は上面図、（ｂ）は側面断面図、（ｃ）は正面図である。
【図９】第２の実施形態の配線器具の金属製の保持枠を示した図であり、（ａ）は上面図、（ｂ）は側面図である。
【図１０】第３の実施形態に係る配線器具の全体構成を示す斜視図である。
【図１１】第３の実施形態の配線器具の全体構成を示す展開図であり、（ａ）は上面図、（ｂ）は側面図である。
【図１２】第３の実施形態の配線器具に取り付けられる壁面取付枠の展開図であり、（ａ）は上面図、（ｂ）は側面図である。
【符号の説明】
【００４５】
１：配線器具、２：樹脂製絶縁枠、２ａ：装着部
１０：ケース体、１１：開口端面、１２：肩部、１３：挿入孔（係止爪配置部）、１４：刃受部材、１５：切欠溝（係止爪配置部）、１６：支持溝、１７：切欠溝（係止爪配置部）
２０：蓋体、２１：ボス面、２２：栓刃孔、２４：肩部、２５：切欠溝又は挿入孔（係止爪配置部）、２６：切欠溝（係止爪配置部）、２７：切欠溝（係止爪配置部）
３０：保持枠、３１：胴部、３２：係止爪、３２ａ：爪部、３２ｂ：中間部、３２ｃ：支持部、３２ｄ：折曲部、３３：装着爪、３４：支持突起
４０：壁面取付枠、４１：胴部、４１ａ：枠体、４２：係止爪、３２ａ：爪部、３２ｂ：中間部、３２ｃ：支持部、３２ｄ：折曲部
【図１】
0004803580.tif 000002
【図２】
0004803580.tif 000003
【図３】
0004803580.tif 000004
【図４】
0004803580.tif 000005
【図５】
0004803580.tif 000006
【図６】
0004803580.tif 000007
【図７】
0004803580.tif 000008
【図８】
0004803580.tif 000009
【図９】
0004803580.tif 000010
【図１０】
0004803580.tif 000011
【図１１】
0004803580.tif 000012
【図１２】
0004803580.tif 000013